(57)【要約】【課題】作業性を向上させた機械作業用手袋を提供することを課題とする。【解決手段】機械作業用手袋１０Ｂは、甲側指部２１を含む甲部２０をアラミド繊維で構成し、掌側指部３１を含む掌部３０を羊皮で構成し、この掌部３０は、前記羊皮よりも丈夫な牛皮で構成した補強部４０Ｂを重ねることで補強したことを特徴とする。【効果】アラミド繊維は耐熱性に優れるため、作業時に甲部２０が発熱部品に接触しても機械作業用手袋１０Ｂの損傷を防ぐことができる。また、アラミド繊維を用いたことで手袋内の通気が良好になるため、長時間の作業でも快適に機械作業用手袋１０Ｂを使用することができる。そして、アラミド繊維は伸縮性にも優れるので関節の屈曲動作が円滑になり、作業性を向上させることができる。【選択図】図８
2008202176.tif 000002
【特許請求の範囲】
【請求項１】
発熱部品を含む機械部品の整備に用いられる機械作業用手袋において、
甲側指部を含む甲部をアラミド繊維で構成し、掌側指部を含む掌部を皮素材で構成し、少なくとも前記掌部は、前記皮素材よりも丈夫な補強皮材を重ねることで補強したことを特徴とする機械作業用手袋。
【請求項２】
請求項１記載の機械作業用手袋において、
前記甲側指部と前記掌側指部とを接合する接合部は、隣接する指部同士が接触する接触部位よりも、甲側に設けられていることを特徴とする機械作業用手袋。
【請求項３】
請求項１又は請求項２記載の機械作業用手袋において、
前記補強皮材には、掌部の小指側の側面を、掌部から甲部まで覆う側面補強部が含まれていることを特徴とする機械作業用手袋。
【請求項４】
請求項１、請求項２又は請求項３記載の機械作業用手袋において、
前記補強皮材には、掌側指部に設ける指補強部が含まれ、且つこの指補強部は、指関節に臨む部分で幅を狭めた絞り部を備えていることを特徴とする機械作業用手袋。
【請求項５】
請求項１〜４のいずれか１項記載の機械作業用手袋において、
前記甲側指部のうち、親指と人差し指と中指の先端部分は前記皮素材で構成したことを特徴とする機械作業用手袋。
【請求項６】
請求項１〜５のいずれか１項記載の機械作業用手袋において、
前記掌側指部のうち、人差し指の第２関節から先には、前記補強皮材を設けないことを特徴とする機械作業用手袋。
【発明の詳細な説明】
【技術分野】
【０００１】
本発明は発熱部品を含む機械部品の整備に用いられる機械作業用手袋の改良に関する。
【背景技術】
【０００２】
エンジンなどの発熱部品を含む機械部品を整備するとき、この機械部品の表面が発熱状態にある場合には、作業用手袋を用いて機械部品の整備が行われる。
【０００３】
耐熱性を備えた作業用手袋が提案されている（例えば、特許文献１参照。）。
【特許文献１】特開平１０−２９２２１３号公報（図１）
【０００４】
特許文献１の図１にて、作業用手袋１は、手を挿入可能に形成させた内部空間Ｓを備えるとともに手の各指に対応する５本の指を備える手袋本体１２を有する。
また、手袋本体１２の掌側内面の全面にはフェルト状のパッド１４を接着剤で貼付し、このフェルト状のパッド１４の輪郭部分１４ａは手袋本体１２に耐熱性の糸で縫い付けられ、フェルト状のパッド１４の手首側端部１４ｂは手袋本体１２の下側端部６ａで全周に渡り挟み込んだ状態で縫い付けられる。
【０００５】
手袋本体１２の素材には、耐炎性及び耐火性に優れた耐炎繊維５０％と、耐熱性に優れ、高強度及び高弾性率のパラ系アラミド繊維５０％との混紡糸を用いているので、手袋本体１２単独でも耐炎性及び耐熱性並びに耐切創性を備えている。
【０００６】
しかし、特許文献１の作業用手袋１は、フェルト状のパッド１４が手袋本体１２の掌側内面の全てに設けられるので、掌側の布が厚くなる。そのため、作業時に細長い発熱部品などを把持する際には、掌側の指関節を大きく曲げることが難しくなり、細長い発熱部品などを円滑に把持できないことがある。これでは作業性を低下させる虞がある。このような不具合を回避するため、作業性を向上させた機械部品の整備に用いる作業用手袋の開発が望まれる。
【発明の開示】
【発明が解決しようとする課題】
【０００７】
本発明は、作業性を向上させた機械作業用手袋を提供することを課題とする。
【課題を解決するための手段】
【０００８】
請求項１に係る発明は、発熱部品を含む機械部品の整備に用いられる機械作業用手袋において、甲側指部を含む甲部をアラミド繊維で構成し、掌側指部を含む掌部を皮素材で構成し、少なくとも前記掌部は、前記皮素材よりも丈夫な補強皮材を重ねることで補強したことを特徴とする。
【０００９】
請求項２に係る発明は、請求項１記載の機械作業用手袋において、甲側指部と掌側指部とを接合する接合部は、隣接する指部同士が接触する接触部位よりも、甲側に設けられていることを特徴とする。
【００１０】
請求項３に係る発明は、請求項１又は請求項２記載の機械作業用手袋において、補強皮材には、掌部の小指側の側面を、掌部から甲部まで覆う側面補強部が含まれていることを特徴とする。
【００１１】
請求項４に係る発明は、請求項１、請求項２又は請求項３記載の機械作業用手袋において、補強皮材には、掌側指部に設ける指補強部が含まれ、且つこの指補強部は、指関節に臨む部分で幅を狭めた絞り部を備えていることを特徴とする。
【００１２】
請求項５に係る発明は、請求項１〜４のいずれか１項記載の機械作業用手袋において、甲側指部のうち、親指と人差し指と中指の先端部分は皮素材で構成したことを特徴とする。
【００１３】
請求項６に係る発明は、請求項１〜５のいずれか１項記載の機械作業用手袋において、掌側指部のうち、人差し指の第２関節から先には、補強皮材を設けないことを特徴とする。
【発明の効果】
【００１４】
請求項１に係る発明では、甲側指部を含む甲部をアラミド繊維で構成した。アラミド繊維は耐熱性に優れるため、作業時に甲部が発熱部品に接触しても機械作業用手袋の損傷を防ぐことができる。また、アラミド繊維を用いたことで手袋内の通気が良好になるため、長時間の作業でも快適に機械作業用手袋を使用することができる。そして、アラミド繊維は伸縮性にも優れるので関節の屈曲動作が円滑になり、作業性を向上させることができる。
【００１５】
さらに、掌側指部を含む掌部を皮素材で構成したので、発熱部品を把持する際、機械作業用手袋の表面の滑り具合を素手に近づけることができる。そのため、機械作業用手袋での把持動作を安定させることができる。
加えて、少なくとも掌部は皮素材よりも丈夫な補強皮材を重ねることで補強したので、機械作業用手袋の断熱性を向上させることができる。そのため、作業効率を向上させることができる。
請求項１によれば、作業性を向上させた機械作業用手袋を提供することができる。
【００１６】
請求項２に係る発明では、接合部が指部同士が接触する接触部位よりも甲側に設けられているので、接合部同士が直に接触することがなくなる。そのため、より素手に近い感覚の機械作業用手袋になるとともに、指部同士の干渉が少なくなるので、作業性を更に向上させた機械作業用手袋を提供することができる。
【００１７】
請求項３に係る発明では、掌部の小指側の側面を掌部から甲部まで覆う側面補強部を設けたので、機械作業用手袋の小指側の側面の肉厚が増加する。そのため、側面補強部を台等に固定した状態で作業する場合、作業の安定性が向上するので、作業効率を向上させた機械作業用手袋を提供することができる。
【００１８】
請求項４に係る発明では、掌側指部に設ける指補強部は指関節に臨む部分で幅を狭めた絞り部を備えているので、指の屈曲動作を妨げることがない。また、指補強部は完全に分離する場合に比べて断熱性が向上するため、比較的温度の高い発熱部品を把持できる機械作業用手袋を提供することができる。
【００１９】
請求項５に係る発明では、甲側指部のうち親指と人差し指と中指の先端部分は皮素材で構成したので、これらの先端部分より手首側にはアラミド繊維が設けられる。そのため、アラミド繊維製の甲側親指と皮素材製の掌側親指、並びにアラミド繊維製の甲側人差し指と皮素材製の掌側人差し指、並びにアラミド繊維製の甲側中指と皮素材製の掌側中指の縫い目は、甲側指部の先端よりも手首側に設けられるので、作業時の擦れなどによる縫い目の損傷を防止することができる。請求項５によれば、耐久性を向上させた機械作業用手袋を提供することができる。
【００２０】
請求項６に係る発明では、掌側指部のうち人差し指の第２関節から先には補強皮材を設けないので、人差し指を素手に近い状態で動かすことができる。また、人差し指は精密な作業を行う頻度が高いため、補強皮材を設けないことで、作業効率を更に向上させた機械作業用手袋を提供することができる。
【発明を実施するための最良の形態】
【００２１】
本発明を実施するための最良の形態を添付図に基づいて以下に説明する。なお、図面は符号の向きに見るものとする。
図１は本発明に係る機械作業用手袋の甲部の平面図であり、機械作業用手袋１０は、作業者の手首を覆うとともに例えば弾性繊維で構成した手首部１１と、この手首部１１から延ばして形成するとともに作業者の手の甲を覆う甲部２０と、この甲部２０から作業者の甲側の指を覆うように延ばして形成する甲側指部２１とからなり、この甲側指部２１は左から甲側親指２２、甲側人差し指２３、甲側中指２４、甲側薬指２５及び甲側小指２６を備え、甲側指部２１を含む甲部２０をアラミド繊維で構成した、例えば機械部品としての運転停止後で比較的高い温度状態にあるエンジンの整備に用いられる手袋である。
２７は甲部縫い付け糸、２８は面ファスナー、２９は手首部縫い付け糸である。
【００２２】
なお、手首部１１の材質は、弾性繊維で説明したが、弾性を持たない繊維を紐で縛る構造に変更することができるため、他の繊維材料を採用することは差し支えない。
【００２３】
図２は本発明に係る機械作業用手袋の掌部の平面図であり、機械作業用手袋１０は、前述の構成に加えて、甲側と掌側とが一体に形成される手首部１１から延ばして形成するとともに作業者の掌を覆う掌部３０と、この掌部３０から作業者の掌側の指を覆うように延ばして形成する掌側指部３１とからなり、この掌側指部３１は右から掌側親指３２、掌側人差し指３３、掌側中指３４、掌側薬指３５及び掌側小指３６を備え、掌側指部３１を含む掌部３０を羊皮で構成した。
【００２４】
また、掌部３０は、前記羊皮よりも丈夫な補強皮材としての牛皮で構成した補強部４０を重ねることで補強し、この補強部４０には掌側指部３１に設ける指補強部４１が含まれ、且つこの指補強部４１は絞り部（詳細後述）を備える。
【００２５】
そして、指補強部４１は、掌側人差し指３３の付け根４２から掌部３０を経由して掌側中指３４に連続して設けられる略Ｌ字形の掌側中指補強部４３（詳細後述）と、掌側薬指３５に設けられる略長円形の掌側薬指補強部４４と、掌側小指３６に設けられる略長円形の掌側小指補強部４５とからなる。
【００２６】
さらに、補強部４０には、掌部３０の小指側の側面４６を、掌部３０から甲部（図１符号２０）まで覆う側面補強部４７（詳細後述）が含まれていて、この側面補強部４７には、掌部３０の小指側の側面４６から掌部３０の中央に向かってスリット４８が形成されている。このスリット４８があることで、把持動作を円滑に行うことができる。
【００２７】
加えて、補強部４０には、掌部３０の右側に設ける略長円形の掌補強部４９が含まれ、この掌補強部４９に隣り合うように、掌側親指３２の側面５１はアラミド繊維で構成される。５２は掌部縫い付け糸、５３は補強部縫い付け糸である。
【００２８】
補強部４０は、指補強部４１と側面補強部４７と掌補強部４９とが各々分離しているので、機械作業用手袋１０は把持動作を楽に実施することができる。
【００２９】
ここで図１に戻って、甲側指部２１のうち、甲側親指２２の先端部５４と甲側人差し指２３の先端部５５と甲側中指２４の先端部５６は、掌側親指（図２符号３２）と掌側人差し指（図２符号３３）と掌側中指（図２符号３４）の羊皮で構成した。この詳細構造については後述する。
【００３０】
また、甲部２０の小指側の側面５７には、掌部（図２符号３０）から連続させた側面補強部４７が設けられる。５８は甲側指部縫い付け糸、５９は甲側羊皮縫い付け糸である。
【００３１】
図３は図１の３−３線断面図であり、機械作業用手袋１０は、上側に設けられ半楕円形状であるとともにアラミド繊維製の甲部２０の両端６１、６１と、下側に設けられ半楕円形状であるとともに例えば厚さ１ｍｍである羊皮製の掌部３０の両端６２、６２とを縫い付け糸６３、６３で結合させ、一体化した甲部２０及び掌部３０の右側に例えば厚さ２ｍｍである牛皮製の側面補強部４７を重ねて補強部縫い付け糸５３で縫い付け、一体化した甲部２０及び掌部３０の左下に例えば厚さ２ｍｍである牛皮製の掌補強部４９を補強部縫い付け糸５３で縫い付けてなる。
【００３２】
なお、羊皮製の掌部３０の厚さは１ｍｍ、牛皮製の側面補強部４７の厚さは２ｍｍ、牛皮製の掌補強部４９の厚さは２ｍｍで説明したが、例えば掌部３０の厚さを０．５ｍｍ、側面補強部４７の厚さを１ｍｍ、掌補強部４９の厚さを１ｍｍに変更することができるため、各部の厚さは任意である。
【００３３】
アラミド繊維製の甲部２０の右端部６４と羊皮製の掌部３０に、羊皮よりも丈夫な牛皮製の側面補強部４７及び掌補強部４９を重ねることで補強したので、機械作業用手袋１０の断熱性を向上させることができる。
【００３４】
図４は図１の４−４線断面図であり、左側に示した甲側人差し指２３と掌側人差し指３３とを接合する人差し指接合部６５、６５は、甲側人差し指２３の両端６６、６６と掌側人差し指３３の両端６７、６７とを縫い付け糸６８、６８で縫い付けて形成される。
また、右側に示した甲側中指２４と掌側中指３４とを接合する中指接合部６９、６９は、甲側中指２４の両端７１、７１と掌側中指３４の両端７２、７２とを縫い付け糸７３、７３で縫い付けて形成される。
【００３５】
すなわち、人差し指接合部６５又は中指接合部６９は、隣接する人差し指部７４と中指部７５とが接触する接触部位としての人差し指部７４の右外面７６及び中指部７５の左外面７７よりも、甲側に設けられているので、人差し指接合部６５と中指接合部６９が直に接触することがなくなる。
【００３６】
そのため、より素手に近い感覚の機械作業用手袋１０になるとともに、隣接する人差し指部７４と中指部７５の干渉が少なくなるので、作業性を更に向上させた機械作業用手袋１０を提供することができる。
【００３７】
なお、この例では隣接する人差し指部７４と中指部７５の干渉についてのみ説明したが、親指と人差し指並びに中指と薬指並びに薬指と小指の干渉についても上記と同様であり、上記効果が人差し指部７４と中指部７５に限定されるものではない。
【００３８】
掌側人差し指３３の下面及び掌側中指３４の下面に設けた掌側中指補強部４３の詳細構造は、次図で説明する。
【００３９】
図５は図１の５−５線断面図であり、（ａ）にて、甲側人差し指２３の先端部５５は、左下から左上に延びているアラミド繊維製の甲側人差し指２３の先端７８に、右下から右上に延びているとともに逆Ｊ字形に形成される例えば厚さ１ｍｍである羊皮製の掌側人差し指３３の先端７９を重ねて、甲側人差し指２３の先端７８と掌側人差し指３３の先端７９とを甲側指部縫い付け糸５８で縫い付けて一体化している。
また、掌側人差し指３３の右下には、例えば厚さ２ｍｍである牛皮製の掌側中指補強部４３が補強部縫い付け糸５３で縫い付けられている。
【００４０】
なお、羊皮製の掌側人差し指３３の厚さは１ｍｍ、牛皮製の掌側中指補強部４３の厚さは２ｍｍで説明したが、例えば掌側人差し指３３の厚さを０．５ｍｍ、掌側中指補強部４３の厚さを１ｍｍに変更することができるため、各部の厚さは任意である。
【００４１】
ここで図１に戻って、甲側指部２１のうち、甲側親指２２の先端部５４と甲側人差し指２３の先端部５５と甲側中指２４の先端部５６は羊皮で構成したことを特徴とする。
【００４２】
そのため、アラミド繊維製の甲側親指２２と羊皮製の掌側親指３２、並びにアラミド繊維製の甲側人差し指２３と羊皮製の掌側人差し指３３、並びにアラミド繊維製の甲側中指２４と羊皮製の掌側中指３４の縫い目は、甲側指部２１の先端よりも手首側に設けられるので、作業時の擦れなどによる縫い目の損傷を防止することができる。よって、耐久性を向上させた機械作業用手袋１０を提供することができる。
【００４３】
再び図５に戻って、（ｂ）にて、作業者が人差し指８１の第１関節８２及び第２関節８３を曲げると、人差し指８１の第２関節８３から先に該当する例えば厚さ１ｍｍの羊皮製の掌側人差し指３３の先端部８４には、牛皮製の補強皮材としての例えば厚さ２ｍｍの掌側中指補強部４３が設けられていないので、作業者は人差し指部７４を簡単に曲げることができる。
【００４４】
また、掌部（図２符号３０）の全体を適切な厚さの羊皮で構成し、この羊皮は比較的伸縮性に優れるので、作業性が良好な機械作業用手袋１０にすることができる。
そして、人差し指部７４では精密な作業を行う頻度が高いため、補強皮材を設けないことで、作業効率を更に向上させた機械作業用手袋１０を提供することができる。
【００４５】
さらに、掌側中指補強部４３を断熱性に優れた牛皮で構成したので、掌側人差し指３３の下部の断熱性を確保することができる。
【００４６】
図６は図２の６部拡大図であり、（ａ）にて、掌側中指補強部４３は、掌側中指３４に重ねて補強部縫い付け糸５３で縫い付けられるとともに、作業者の中指の関節に臨む部分で幅を狭めた中指絞り部８５を備えている。この中指絞り部８５は、作業者の中指の第１関節に臨む部分で幅を狭めた第１中指絞り部８６と、作業者の中指の第２関節に臨む部分で幅を狭めた第２中指絞り部８７とからなる。
【００４７】
（ｂ）にて、作業者が中指を曲げると、掌側中指補強部４３は第１中指絞り部８６と第２中指絞り部８７とを備えているので、中指部７５を円滑に屈曲させることができる。
【００４８】
ここで図２に戻って、牛皮製の補強部４０には、掌側指部３１に設ける指補強部４１が含まれ、且つこの指補強部４１は、例えば厚さ２ｍｍの牛皮製の掌側中指補強部４３及び掌側薬指補強部４４及び掌側小指補強部４５を含み、掌側中指補強部４３は第１中指絞り部８６と第２中指絞り部８７とを備え、掌側薬指補強部４４は薬指第１関節に臨む部分で幅を狭めた第１薬指絞り部８８と薬指第２関節に臨む部分で幅を狭めた第２薬指絞り部８９とを備え、掌側小指補強部４５は小指関節に臨む部分で幅を狭めた小指絞り部９１を備えている。
【００４９】
そのため、掌側中指３４、掌側薬指３５、掌側小指３６の屈曲動作を妨げることがない。また、掌側中指補強部４３、掌側薬指補強部４４及び掌側小指補強部４５は完全に分離する場合に比べて断熱性が向上するため、比較的温度の高い発熱部品を把持できる機械作業用手袋１０を提供することができる。
【００５０】
そして、掌側人差し指３３及び掌側中指３４及び掌部３０には掌側中指補強部４３を設け、掌側薬指３５には掌側薬指補強部４４を設け、掌側小指３６には掌側小指補強部４５を設け、掌部３０には側面補強部４７及び掌補強部４９を設けた。これらの掌側中指補強部４３、掌側薬指補強部４４、掌側小指補強部４５、側面補強部４７及び掌補強部４９は、断熱性に優れた牛皮で構成されるとともに、掌部３０の断熱性が要求される部位に適切な厚みで設けられるので、掌部３０の全体で断熱性を確保することができる。
【００５１】
図７は機械作業用手袋の台上での作業説明図であり、作業者は手９２を介して機械作業用手袋１０に設けた側面補強部４７を台９３の上に固定している。このとき、掌部３０から左へ延びている掌側指部３１は、上から掌側人差し指３３、掌側中指３４、掌側薬指３５及び掌側小指３６である。
【００５２】
機械作業用手袋１０は、掌部３０の小指側の側面４６を掌部３０から甲部２０まで覆う例えば厚さ２ｍｍの牛皮製の側面補強部４７を設けたので、機械作業用手袋１０の小指側の側面部９４の肉厚が増加する。そのため、側面補強部４７を台９３に固定した状態で作業する場合、作業の安定性が向上するので、作業効率を向上させた機械作業用手袋１０を提供することができる。
【００５３】
また、機械作業用手袋１０は、台９３が比較的高い温度状態にある場合でも、側面補強部４７によって小指側の側面部９４の肉厚が増すため、断熱性を確保することができる。
【００５４】
以上に説明した機械作業用手袋１０は、補強部４０に側面補強部４７と指補強部４１とを含めたので断熱性に優れるが、側面補強部４７と指補強部４１の材料費及び縫い付け費用が掛かるので、コストの高い手袋になる。低コスト化を実現するために、側面補強部４７と指補強部４１を設けない機械作業用手袋の実施例を次に説明する。
【００５５】
図８は図１及び図２の変更実施例図であり、図１及び図２と共通の構造については符号を流用して説明を省略する。
（ａ）にて、機械作業用手袋１０Ｂは、甲側指部２１を含む甲部２０をアラミド繊維で構成し、（ｂ）にて、掌側指部３１を含む掌部３０を羊皮で構成し、この掌部３０は、前記羊皮よりも丈夫な牛皮で構成した補強部４０Ｂを重ねることで補強したことを特徴とする。
また、補強部４０Ｂは、掌補強部４９と第２掌補強部９５を掌部３０に設けた。
【００５６】
よって、機械作業用手袋１０Ｂは、甲側指部２１を含む甲部２０をアラミド繊維で構成した。アラミド繊維は耐熱性に優れるため、作業時に甲部２０が発熱部品に接触しても機械作業用手袋１０Ｂの損傷を防ぐことができる。また、アラミド繊維を用いたことで手袋内の通気が良好になるため、長時間の作業でも快適に機械作業用手袋１０Ｂを使用することができる。そして、アラミド繊維は伸縮性にも優れるので関節の屈曲動作が円滑になり、作業性を向上させることができる。
【００５７】
さらに、掌側指部３１を含む掌部３０を皮素材で構成したので、発熱部品を把持する際、機械作業用手袋１０Ｂの表面の滑り具合を素手に近づけることができる。そのため、機械作業用手袋１０Ｂでの把持動作を安定させることができる。
加えて、掌部３０は皮素材よりも丈夫な牛皮で構成した補強部４０Ｂを重ねることで補強したので、機械作業用手袋１０Ｂの断熱性を向上させることができる。そのため、作業効率を向上させることができる。
【００５８】
尚、本発明の機械作業用手袋の作業対象は、実施の形態ではエンジンに適用して説明したが、例えば排気管やそれに接続された部品の作業にも適用可能であるため、比較的高い温度状態にある機械部品の作業に適用することは差し支えない。
【産業上の利用可能性】
【００５９】
本発明の機械作業用手袋は、エンジンの整備作業に好適である。
【図面の簡単な説明】
【００６０】
【図１】本発明に係る機械作業用手袋の甲部の平面図である。
【図２】本発明に係る機械作業用手袋の掌部の平面図である。
【図３】図１の３−３線断面図である。
【図４】図１の４−４線断面図である。
【図５】図１の５−５線断面図である。
【図６】図２の６部拡大図である。
【図７】機械作業用手袋の台上での作業説明図である。
【図８】図１及び図２の変更実施例図である。
【符号の説明】
【００６１】
１０、１０Ｂ…機械作業用手袋、２０…甲部、２１…甲側指部、２２…甲側親指（親指）、２３…甲側人差し指（人差し指）、２４…甲側中指（中指）、３０…掌部、３１…掌側指部、３３…掌側人差し指（人差し指）、４０、４０Ｂ…補強部（補強皮材）、４１…指補強部、４６…掌部の小指側の側面、４７…側面補強部、５４、５５、５６…先端部、６５…人差し指接合部（接合部）、６９…中指接合部（接合部）、７４…人差し指部（指部）、７５…中指部（指部）、８４…先端部、８６…第１中指絞り部（絞り部）、８７…第２中指絞り部（絞り部）、８８…第１薬指絞り部（絞り部）、８９…第２薬指絞り部（絞り部）、９１…小指絞り部（絞り部）。
【図１】
2008202176.tif 000003
【図２】
2008202176.tif 000004
【図３】
2008202176.tif 000005
【図４】
2008202176.tif 000006
【図５】
2008202176.tif 000007
【図６】
2008202176.tif 000008
【図７】
2008202176.tif 000009
【図８】
2008202176.tif 000010